【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
バッテリパックの幅方向における両側にそれぞれ配置されるとともに、該幅方向の外側に開放された第１の凹部及び第２の凹部と、
少なくとも正極と負極を含みバッテリパックの前記幅方向に並ぶ３つの端子を互いに隔てる第１及び第２のリブと、
前記３つの端子よりもバッテリパックの前記幅方向の外側にある第３のリブとを有し、
前記第１のリブの前記３つの端子が並ぶ方向のリブ幅が前記第３のリブのリブ幅より広くされ、
前記第２の凹部が前記端子とはバッテリパックの厚み方向の異なる位置に設けられ、
前記第２の凹部と前記端子はバッテリパックの幅方向の位置が重なっている
バッテリパック。
【請求項２】
前記第２のリブの前記３つの端子が並ぶ方向のリブ幅が前記第３のリブのリブ幅より広くされた
請求項１に記載のバッテリパック。
【請求項３】
前記第１及び第２のリブの前記３つの端子が並ぶ方向のリブ幅が略同じ広さである
請求項１又は２に記載のバッテリパック。
【請求項４】
前記端子と前記第１の凹部はバッテリパックの幅方向の位置が重なっていない
請求項１に記載のバッテリパック。
【請求項５】
前記複数の端子のうち少なくとも１つは、前記第１の凹部及び前記第２の凹部とバッテリパックの幅方向の位置が重なっていない
請求項１に記載のバッテリパック。
【請求項６】
前記端子がバッテリパックの幅方向と厚み方向においてそれぞれ偏奇した位置に配置されている
請求項１乃至５のいずれかに記載のバッテリパック。
【請求項７】
前記端子がバッテリパックの長さ方向の一の端面よりも該長さ方向に奥まった位置に配置されている
請求項１乃至６のいずれかに記載のバッテリパック。
【請求項８】
前記端子が配置されたバッテリパックの長さ方向の一の端面と反対側の他の端面に第３の凹部が配置されている
請求項１乃至７のいずれかに記載のバッテリパック。
【請求項９】
前記第３の凹部がバッテリパックの幅方向の略中央に配置されている
請求項８に記載のバッテリパック。
【請求項１０】
挿入方向を示すマークが付されている
請求項１乃至９のいずれかに記載のバッテリパック。
【請求項１１】
前記第１の凹部、前記第２の凹部、前記端子のない箇所にＩＣチップが配置されている
請求項１乃至１０のいずれかに記載のバッテリパック。
【請求項１２】
前記第１の凹部と前記第２の凹部のバッテリパックの幅方向の長さが異なる
請求項１乃至１１のいずれかに記載のバッテリパック。
【請求項１３】
前記第１の凹部と前記第２の凹部のバッテリパックの厚み方向の長さがバッテリパックの厚みの半分より短い
請求項１乃至１２のいずれかに記載のバッテリパック。
【請求項１４】
バッテリパックの幅方向における両側にそれぞれ配置されるとともに、該幅方向の外側に開放された第１の凹部及び第２の凹部と、
少なくとも正極と負極を含む３つの端子を互いに隔てる２つのリブを有し、
前記２つのリブのバッテリパックの幅方向の厚みが、前記３つの端子の幅方向の外側にあるリブより厚くされ、
前記第２の凹部と前記端子はバッテリパックの幅方向の位置が重なっている
バッテリパック。
【請求項１５】
前記端子がバッテリパックの長さ方向と厚み方向に開放された端子配置溝内に配置されている
請求項１４に記載のバッテリパック。
【請求項１６】
前記第２の凹部が前記端子とはバッテリパックの厚み方向の異なる位置に設けられている
請求項１５に記載のバッテリパック。
【請求項１７】
前記端子が端子ケースに設けられている
請求項１４乃至１６のいずれかに記載のバッテリパック。
【請求項１８】
前記端子は一対の接片が向かい合うように配置されている
請求項１４乃至１７のいずれかに記載のバッテリパック。
【請求項１９】
前記端子の接片はその先端部に互いに近づく方向に突出する接触凸部が設けられている
請求項１８に記載のバッテリパック。
【請求項２０】
前記端子配置溝の開口側縁が面取り加工されている
請求項１５乃至１９のいずれかに記載のバッテリパック。
【請求項２１】
前記端子が配置されたバッテリパックの長さ方向の一の端面と反対側の他の端面に第３の凹部が配置されている
請求項１４乃至２０のいずれかに記載のバッテリパック。
【請求項２２】
前記第３の凹部がバッテリパックの幅方向の略中央に配置されている
請求項２１に記載のバッテリパック。
【請求項２３】
挿入方向を示すマークが付されている
請求項１４乃至２２のいずれかに記載のバッテリパック。
【請求項２４】
バッテリパックの幅方向における両側にそれぞれ配置されるとともに、該幅方向の外側に開放された第１の凹部及び第２の凹部と、
少なくとも正極と負極を含みバッテリパックの前記幅方向に並ぶ３つの端子を互いに隔てる第１及び第２のリブと、
前記３つの端子よりもバッテリパックの前記幅方向の外側にある第３のリブとを有し、
前記第１のリブの前記幅方向のリブ幅が前記第３のリブの前記幅方向のリブ幅より広い
バッテリパック。
【請求項２５】
前記端子がバッテリパックの長さ方向と厚み方向に開放された端子配置溝内に配置されている
請求項２４に記載のバッテリパック。
【請求項２６】
前記端子が端子ケースに設けられている
請求項２４又は２５に記載のバッテリパック。
【請求項２７】
前記第３のリブは端子ケースの幅方向の最外部を形成するリブである
請求項２６に記載のバッテリパック。
【請求項２８】
前記端子は一対の接片が向かい合うように配置されている
請求項２４乃至２７のいずれかに記載のバッテリパック。
【請求項２９】
前記端子の接片はその先端部に互いに近づく方向に突出する接触凸部が設けられている
請求項２８に記載のバッテリパック。
【請求項３０】
前記端子配置溝の開口側縁が面取り加工されている
請求項２５乃至２９のいずれかに記載のバッテリパック。
【請求項３１】
前記端子はバッテリパックの幅方向と厚み方向においてそれぞれ偏奇した位置に配置されている
請求項２４乃至３０のいずれかに記載のバッテリパック。
【請求項３２】
前記端子ケースはバッテリパックの幅方向と厚み方向においてそれぞれ偏奇した位置に配置されている
請求項２６乃至３１のいずれかに記載のバッテリパック。
【請求項３３】
前記端子はバッテリパックの長さ方向の一の端面よりも該長さ方向に奥まった位置に配置されている
請求項２４乃至３２のいずれかに記載のバッテリパック。
【請求項３４】
バッテリパックを装着するバッテリ装着部と、
前記バッテリ装着部に設けられバッテリパック側の端子と電気的に接続する本体側端子とを有し、
前記バッテリパックは、
バッテリパックの幅方向における両側にそれぞれ配置されるとともに、該幅方向の外側に開放された第１の凹部及び第２の凹部と、
少なくとも正極と負極を含みバッテリパックの前記幅方向に並ぶ３つの端子を互いに隔てる第１及び第２のリブと、
前記３つの端子よりもバッテリパックの前記幅方向の外側にある第３のリブとを有し、
前記第１のリブの前記幅方向のリブ幅が前記第３のリブの前記幅方向のリブ幅より広い
バッテリパックが装着される本体側機器。
【請求項３５】
レンズ鏡筒を有する
請求項３４に記載のバッテリパックが装着される本体側機器。
【請求項３６】
表示パネルを有する
請求項３５に記載のバッテリパックが装着される本体側機器。
【請求項３７】
前記表示パネルは前記バッテリ装着部が設けられた面とは反対側の面に設けられている
請求項３６に記載のバッテリパックが装着される本体側機器。
【請求項３８】
直方体状のカメラ本体と、
前記カメラ本体に設けられたレンズ鏡筒で構成される
請求項３４乃至３７のいずれかに記載のバッテリパックが装着される本体側機器。
【請求項３９】
前記バッテリ装着部は４つの枠体により囲まれている
請求項３４乃至３８のいずれかに記載のバッテリパックが装着される本体側機器。
【請求項４０】
前記バッテリ装着部には前記バッテリパックの幅方向に対応する位置に小リブが設けられている
請求項３４乃至３９のいずれかに記載のバッテリパックが装着される本体側機器。
【請求項４１】
前記小リブは前記バッテリパックの長さ方向に対応する方向に２つ設けられている
請求項４０に記載のバッテリパックが装着される本体側機器。
【請求項４２】
前記本体側端子は３つの端子片から成る
請求項３４乃至４１のいずれかに記載のバッテリパックが装着される本体側機器。
【請求項４３】
ユーザが前記バッテリパックを取り外す際に使用するロック機構を有する
請求項３４乃至４２のいずれかに記載のバッテリパックが装着される本体側機器。
【請求項４４】
前記ロック機構は前記バッテリ装着部が設けられた面と同一の面に設けられている
請求項４３に記載のバッテリパックが装着される本体側機器。
【請求項４５】
前記本体側端子は前記バッテリ装着部のバッテリパックの幅方向に対応する方向に偏奇して設けられている
請求項３４乃至４４のいずれかに記載のバッテリパックが装着される本体側機器。
【請求項４６】
前記バッテリ装着部にバッテリパックに設けられた凹部に対応する小凸部が設けられている
請求項３４乃至４５のいずれかに記載のバッテリパックが装着される本体側機器。
【手続補正２】
【補正対象書類名】明細書
【補正対象項目名】発明の名称
【補正方法】変更
【補正の内容】
【発明の名称】バッテリパック及びバッテリパックが装着される本体側機器
【手続補正３】
【補正対象書類名】明細書
【補正対象項目名】００１２
【補正方法】変更
【補正の内容】
【００１２】
そこで、本発明は、上記した課題を解決するために、バッテリパックの幅方向における両側にそれぞれ配置されるとともに、幅方向の外側に開放された第１の凹部及び第２の凹部と、少なくとも正極と負極を含みバッテリパックの幅方向に並ぶ３つの端子を互いに隔てる第１及び第２のリブと、前記３つの端子よりもバッテリパックの幅方向の外側にある第３のリブとを有し、前記第１のリブの前記３つの端子が並ぶ方向のリブ幅が前記第３のリブのリブ幅より広くされ、前記第２の凹部が前記端子とはバッテリパックの厚み方向の異なる位置に設けられ、前記第２の凹部と前記端子はバッテリパックの幅方向の位置が重なっているものである。また、バッテリパックの幅方向における両側にそれぞれ配置されるとともに、幅方向の外側に開放された第１の凹部及び第２の凹部と、少なくとも正極と負極を含む３つの端子を互いに隔てる２つのリブを有し、前記２つのリブのバッテリパックの幅方向の厚みが、前記３つの端子の幅方向の外側にあるリブより厚くされ、前記第２の凹部が前記端子とはバッテリパックの厚み方向の異なる位置に設けられ、前記第２の凹部と前記端子はバッテリパックの幅方向の位置が重なっているものである。また、バッテリパックの幅方向における両側にそれぞれ配置されるとともに、該幅方向の外側に開放された第１の凹部及び第２の凹部と、少なくとも正極と負極を含みバッテリパックの前記幅方向に並ぶ３つの端子を互いに隔てる第１及び第２のリブと、前記３つの端子よりもバッテリパックの前記幅方向の外側にある第３のリブとを有し、前記第１のリブの前記幅方向のリブ幅が前記第３のリブの前記幅方向のリブ幅より広いものである。また、バッテリパックを装着するバッテリ装着部と、前記バッテリ装着部に設けられバッテリパック側の端子と電気的に接続する本体側端子とを有し、前記バッテリパックは、バッテリパックの幅方向における両側にそれぞれ配置されるとともに、該幅方向の外側に開放された第１の凹部及び第２の凹部と、少なくとも正極と負極を含みバッテリパックの前記幅方向に並ぶ３つの端子を互いに隔てる第１及び第２のリブと、前記３つの端子よりもバッテリパックの前記幅方向の外側にある第３のリブとを有し、前記第１のリブの前記幅方向のリブ幅が前記第３のリブの前記幅方向のリブ幅より広いものである。
【手続補正４】
【補正対象書類名】明細書
【補正対象項目名】００１３
【補正方法】変更
【補正の内容】
【００１３】
したがって、本発明によれば、組み立てを容易に行うことができ、組み立て工程の自動化を図ることができる。
【手続補正５】
【補正対象書類名】明細書
【補正対象項目名】００１４
【補正方法】変更
【補正の内容】
【００１４】
本発明は、バッテリパックの幅方向における両側にそれぞれ配置されるとともに、幅方向の外側に開放された第１の凹部及び第２の凹部と、少なくとも正極と負極を含みバッテリパックの幅方向に並ぶ３つの端子を互いに隔てる第１及び第２のリブと、前記３つの端子よりもバッテリパックの幅方向の外側にある第３のリブとを有し、前記第１のリブの前記３つの端子が並ぶ方向のリブ幅が前記第３のリブのリブ幅より広くされ、前記第２の凹部が前記端子とはバッテリパックの厚み方向の異なる位置に設けられ、前記第２の凹部と前記端子はバッテリパックの幅方向の位置が重なっている。また、バッテリパックの幅方向における両側にそれぞれ配置されるとともに、幅方向の外側に開放された第１の凹部及び第２の凹部と、少なくとも正極と負極を含む３つの端子を互いに隔てる２つのリブを有し、前記２つのリブのバッテリパックの幅方向の厚みが、前記３つの端子の幅方向の外側にあるリブより厚くされ、前記第２の凹部が前記端子とはバッテリパックの厚み方向の異なる位置に設けられ、前記第２の凹部と前記端子はバッテリパックの幅方向の位置が重なっている。また、バッテリパックの幅方向における両側にそれぞれ配置されるとともに、該幅方向の外側に開放された第１の凹部及び第２の凹部と、少なくとも正極と負極を含みバッテリパックの前記幅方向に並ぶ３つの端子を互いに隔てる第１及び第２のリブと、前記３つの端子よりもバッテリパックの前記幅方向の外側にある第３のリブとを有し、前記第１のリブの前記幅方向のリブ幅が前記第３のリブの前記幅方向のリブ幅より広い。また、バッテリパックを装着するバッテリ装着部と、前記バッテリ装着部に設けられバッテリパック側の端子と電気的に接続する本体側端子とを有し、前記バッテリパックは、バッテリパックの幅方向における両側にそれぞれ配置されるとともに、該幅方向の外側に開放された第１の凹部及び第２の凹部と、少なくとも正極と負極を含みバッテリパックの前記幅方向に並ぶ３つの端子を互いに隔てる第１及び第２のリブと、前記３つの端子よりもバッテリパックの前記幅方向の外側にある第３のリブとを有し、前記第１のリブの前記幅方向のリブ幅が前記第３のリブの前記幅方向のリブ幅より広い。
【手続補正６】
【補正対象書類名】明細書
【補正対象項目名】００１７
【補正方法】変更
【補正の内容】
【００１７】
以下に、本発明の詳細を添付図面に示した最良の形態に従って説明する。